(57)【特許請求の範囲】
【請求項１】
媒体に画像を形成する画像形成手段と、
前記媒体を保持して回転する回転体と、
前記媒体の画像を形成する領域より前記回転体の回転方向で上流側の任意の位置を前記回転体に保持可能な第１の保持手段と、
前記媒体を押える押さえ手段と、
前記回転体に対向する加熱手段と、を備え、
前記押さえ手段は、前記媒体を押える押さえ位置と前記回転体の周面から離間する離間位置との間で移動可能であり、
前記加熱手段は、前記媒体を加熱する加熱位置と前記回転体の周面から離間する離間位置との間で移動可能である
ことを特徴とする画像形成装置。
【請求項２】
前記媒体の画像を形成する領域より前記回転体の回転方向で下流側の任意の位置を前記回転体に保持可能な第２の保持手段を備えている
ことを特徴とする請求項１の画像形成装置。
【請求項３】
前記保持手段の少なくとも一方は、前記回転体の外周部に嵌め込まれて前記媒体を保持する
ことを特徴とする請求項１又は２に記載の画像形成装置。
【請求項４】
前記回転体は、内部に空間を有する部材であり、内外を通じる開口部が設けられ、
前記保持手段の少なくとも一方は、前記回転体の開口部を介して、前記媒体の画像を形成する領域以外の少なくとも一部が前記回転体の内部の空間に収容された状態で、前記開口部に嵌め込まれて前記媒体を保持可能である
ことを特徴とする請求項１又は２に記載の画像形成装置。
【請求項５】
前記保持手段は、前記回転体の外周面が描く軌跡より内側に配置される
ことを特徴とする請求項３又は４に記載の画像形成装置。
【請求項６】
前記回転体には前記媒体の画像を形成する領域以外の少なくとも一部を収容する収容部が設けられている
ことを特徴とする請求項１又は２に記載の画像形成装置。
【請求項７】
前記回転体は、内部に空間を有する部材であり、内外を通じる穴が設けられている
ことを特徴とする請求項１ないし６のいずれかに記載の画像形成装置。
【請求項８】
前記回転体の内部空間と装置外部とを通じる流路を有する
ことを特徴とする請求項７に記載の画像形成装置。
【請求項９】
前記流路には気流発生手段が配置されている
ことを特徴とする請求項８に記載の画像形成装置。
【請求項１０】
媒体に画像を形成する画像形成手段と、
前記媒体を保持して回転する回転体と、
前記媒体の画像を形成する領域より前記回転体の回転方向で上流側の任意の位置を前記回転体に保持可能な第１の保持手段と、を備え、
前記媒体が一部又は全部が重なる重なり部分を有し、
前記媒体を前記回転体に保持するときに、前記媒体内の前記重なり部分に介在された状態で前記回転体の周面に保持される中間部材を備え、
前記中間部材は、前記重なり部分の一方に付着された液体が他方に移動することを阻止する部材である
ことを特徴とする画像形成装置。
【請求項１１】
請求項１に記載の画像形成装置によって媒体に画像を形成する画像形成方法であって、
一部又は全部が重なる重なり部分を有する前記媒体を前記回転体の保持するときに、前記媒体内の前記重なり部分に中間部材を内包した状態で前記回転体の周面に保持し、
前記媒体に画像を形成し、
前記中間部材は、前記重なり部分の一方に付着された液体が他方に移動することを阻止する部材である
ことを特徴とする画像形成方法。
【請求項１２】
媒体に画像を形成する画像形成手段と、
前記媒体を保持して回転する回転体と、を備え、
一部又は全部が重なる重なり部分を有する媒体に画像を形成するときに前記媒体の重なり部分に介在される中間部材を前記回転体に連結可能であり、
前記回転体に前記中間部材に設けられる連結部が連結される被連結部を有する画像形成装置に対して連結及び分離可能な中間部材であって、
前記被連結部に連結される前記連結部を有し、
前記重なり部分の一方に付着された液体が他方に移動することを阻止する部材である
ことを特徴とする中間部材。
【発明の詳細な説明】
【技術分野】
【０００１】
本発明は画像形成装置、画像形成方法、中間部材に関する。
【背景技術】
【０００２】
画像形成装置として、液体吐出方式によって被捺染物（媒体）に対して画像を形成（捺染）する捺染装置が知られている。
【０００３】
例えば、被捺染材を載置する載置台と、載置台に載置された被捺染材の捺染側の面に向けてインクを吐出して所望の捺染を実行する捺染ヘッドを備えた捺染実行部と、捺染実行部による捺染実行に先立って被捺染材に対して前処理を実行する前処理部とを備え、前処理部は、被捺染材の捺染側の面に対して熱を加える熱供給手段と、被捺染材の捺染側の面を押圧するローラとを備え、ローラと載置台との相対的な移動により、載置台上の被捺染材がローラにより押圧される構成としたものが知られている（特許文献１）。
【先行技術文献】
【特許文献】
【０００４】
【特許文献１】特開２０１３−１９０８３号公報
【発明の概要】
【発明が解決しようとする課題】
【０００５】
ところで、特に被捺染物として使用されることが多い布地は、紙などに比べて、相対的に伸び易く、シワが寄り易いなどの特性がある。布地の伸び、シワが発生した場合、形成された画像が歪んだり、画像の一部が欠けたりする画像異常が発生する。また、シワが大きい場合は、液滴を吐出するヘッドと布地表面が擦れて異常画像になるなど、画像品質の低下を生じることになる。
【０００６】
ところが、被捺染物として、例えばシャツなどの個別に裁断された布地を使用する場合、シャツのサイズや様々な画像形成位置（例えば襟口、胸元ワンポイント、腹部プリントなど）に対応するためには、シャツ全体を皺や伸びなく載置する載置台が必要になって装置が大型化し、また皺や伸びを低減した状態で保持することが困難であるという課題がある。
【０００７】
本発明は上記の課題に鑑みてなされたものであり、装置を大型化することなく、皺や伸びを抑えて媒体をセットできるようにすることを目的とする。
【課題を解決するための手段】
【０００８】
上記の課題を解決するため、本発明の請求項１に係る画像形成装置は、
媒体に画像を形成する画像形成手段と、
前記媒体を保持して回転する回転体と、
前記媒体の画像を形成する領域より前記回転体の回転方向で上流側の任意の位置を前記回転体に保持可能な第１の保持手段と、
前記媒体を押える押さえ手段と、
前記回転体に対向する加熱手段と、を備え、
前記押さえ手段は、前記媒体を押える押さえ位置と前記回転体の周面から離間する離間位置との間で移動可能であり、
前記加熱手段は、前記媒体を加熱する加熱位置と前記回転体の周面から離間する離間位置との間で移動可能である
構成とした。
【発明の効果】
【０００９】
本発明によれば、装置を大型化することなく、皺や伸びを抑えて媒体をセットできる。
【図面の簡単な説明】
【００１０】
【図１】本発明の第１実施形態に係る画像形成装置の斜視説明図である。
【図２】同じく側面説明図である。
【図３】保持手段による被捺染物の保持構造の説明に供する斜視説明図である。
【図４】同じく分解斜視説明図である。
【図５】同じく保持手段の側面説明図である。
【図６】同実施形態の作用説明に供する側面説明図である。
【図７】同実施形態の作用説明に供する側面説明図である。
【図８】同実施形態の作用説明に供する側面説明図である。
【図９】同実施形態の作用説明に供する側面説明図である。
【図１０】同実施形態の作用説明に供する側面説明図である。
【図１１】本発明の第２実施形態の説明に供する斜視説明図である。
【図１２】同じく保持ドラムの軸方向に沿う要部断面説明図である。
【図１３】本発明の第３実施形態の説明に供する斜視説明図である。
【図１４】同じく保持ドラムの軸方向に沿う要部断面説明図である。
【図１５】本発明の第４実施形態の説明に供する斜視説明図である。
【図１６】同じく保持ドラムの軸方向に沿う要部断面説明図である。
【図１７】本発明の第５実施形態の説明に供する保持ドラムの軸方向に沿う要部断面説明図である。
【図１８】本発明の第６実施形態に係る画像形成装置の説明に供する正面説明図である。
【図１９】同じく側面説明図である。
【図２０】保持ドラムに被捺染物を保持する構成の説明に供する側面説明図である。
【図２１】本発明の第７実施形態における保持ドラムに被捺染物を保持する構成の説明に供する側面説明図である。
【図２２】本発明の第８実施形態の説明に供する側面説明図である。
【図２３】本発明の第９実施形態の説明に供する被捺染物に中間部材を内包する状態の斜視説明図である。
【図２４】同じく中間部材を含む被捺染物を保持するときの分解斜視説明図である。
【図２５】同じく側面説明図である。
【図２６】本発明の第１０実施形態の説明に供する要部斜視説明図である。
【図２７】同じく断面説明図である。
【図２８】本発明の第１１実施形態の説明に供する要部側面説明図である。
【発明を実施するための形態】
【００１１】
以下、本発明の実施の形態について添付図面を参照して説明する。本発明の第１実施形態に係る画像形成装置について図１及び図２を参照して説明する。図１は同装置の斜視説明図、図２は同じく側面説明図である。
【００１２】
この画像形成装置は、インクジェット捺染装置であり、液滴を吐出する液体吐出ヘッドで構成した記録ヘッド２を搭載したキャリッジ４を備えている。キャリッジ４は、ガイド部材３によって主走査方向（矢印Ａ方向）に往復移動される。
【００１３】
また、媒体である被捺染物１１を保持する回転体である筒状（中空状）の保持ドラム５を備えている。保持ドラム５は駆動部８によって送り方向（矢印Ｂ方向）に回転される。なお、保持ドラム５を往復回転させて画像を形成することもできる。
【００１４】
そして、被捺染物１１の画像を形成する領域より保持ドラム回転方向で上流側の任意の位置を保持ドラム５に保持可能な第１の保持手段６と、被捺染物１１の画像を形成する領域より保持ドラム回転方向で下流側を保持ドラム５に保持可能な第２の保持手段７とを備えている。
【００１５】
また、この保持ドラム５の外周面に対向して、保持ドラム５に保持される被捺染物１１を押える押さえローラ９を備えている。押さえローラ９はスプリング２１で押さえ方向に付勢されている。また、押さえローラ９は開閉可能な上前カバー１２に保持されている。上前カバー１２を開閉することで、押さえローラ９が被捺染物１１を押える押さえ位置と保持ドラムの周面から離間する離間位置との間で移動可能である。
【００１６】
また、保持ドラム５の外周面に対向して、加熱手段であるヒータ１０を備えている。ヒータ１０は開閉可能な下前カバー１３に保持されている。下前カバー１３を開閉することで、ヒータ１０が被捺染物１１を加熱する加熱位置と保持ドラム５の周面から離間する離間位置との間で移動可能である。
【００１７】
次に、保持ドラムに被捺染物を保持する構成について図３ないし図５も参照して説明する。図３は保持手段による被捺染物の保持構造の説明に供する斜視説明図、図４は同じく分解斜視説明図、図５は同じく保持手段の側面説明図である。
【００１８】
保持ドラム５の外周面には、側面で見て一部を切り欠いた形状とすることで、被捺染物１１を保持した第１の保持手段６を嵌め込んで取付ける取り付け部５１と、被捺染物１１を押さえる第２の保持手段７を嵌め込んで取り付ける取り付け部５２を形成している。
【００１９】
保持ドラム５は、内部に空間５０を有する部材であり、上記取り付け部５１、５２には、保持ドラム５の軸方向に沿って、内外を通じる開口部５３、５４が設けられている。この開口部５３、５４を通じて被捺染物１１の余剰部分１１ａ、１１ｂを内部の空間５０に差し入れて収容することができる。なお、余剰部分１１ａ、１１ｂは、少なくとも被捺染物１１のうちの画像を形成する領域以外の領域の一部である。
【００２０】
第１の保持手段６は、２つに分割された保持部材（ベース部材）６ａと保持部材（蓋部材）６ｂとで構成され、凹凸で嵌め合わせる形状としている。蓋部材６ｂは、保持手段６を保持ドラム５の取り付け部５１に取り付けた状態で、蓋部材６ｂの外周が、保持ドラム５の回転軌跡に沿う形状又は回転軌跡よりも内側（回転中心側）になる形状としている。
【００２１】
第１の保持手段６は、保持部材６ａと保持部材６ｂとの間に、被捺染物１１の画像を形成する領域以外の領域の任意の位置を挟むことができ、この状態で保持ドラム５の取り付け部５１に嵌め込むことで、被捺染物１１を第１の保持手段６によって保持ドラム５に保持することができる。つまり、第１の保持手段６は、被捺染物１１の画像を形成する領域より保持ドラム５の回転方向で上流側の任意の位置を保持ドラム５に保持できる。
【００２２】
第２の保持手段７は、保持部材６ｂとほぼ同じ外形状を有し、保持ドラム５の取り付け部５２に取り付けた状態で、外周が、保持ドラム５の回転軌跡に沿う形状又は回転軌跡よりも内側（回転中心側）になる形状としている。
【００２３】
そして、この第２の保持部材７は、保持部材６ａと同様な外形状を有する保持ドラム５の取り付け部５２に嵌め込むことで、被捺染物１１を保持ドラム５に保持することができる。
【００２４】
次に、このように構成した本実施形態の作用について図６ないし図１０を参照して説明する。図６ないし図１０は同作用説明に供する側面説明図である。
【００２５】
まず、前述した図３ないし図５に示すように、被捺染物１１の画像を形成しない領域の上流側（回転方向）の任意の位置を第１の保持手段６の保持部材６ａ、６ｂで挟んで保持する。一方、図６に示すように、上前カバー１２及び下前カバー１３を開いて、保持ドラム５の取り付け部５１へのアクセスが可能な状態にする。
【００２６】
そして、図７及び図８に示すように、被捺染物１１を保持した第１の保持手段６を保持ドラム５の取り付け部５１に嵌め込んで取付ける。このとき、被捺染物１１の第１の保持手段６で保持している部分よりも上流側の余剰部分１１ａは、保持ドラム５の開口部５３から差し込んで内部の空間５０に収容する。
【００２７】
次いで、図８に示すように、上前カバー１２を閉じることで、押さえローラ９が保持ドラム５の周面に押し付けられて、被捺染物１１を押さえる。この状態のまま保持ドラム５を矢印Ｂ方向に徐々に回転させることで、被捺染物１１は皺を伸ばされながら保持ドラム５の周面に巻きついて行く。
【００２８】
その後、図９及び図１０に示すように、被捺染物１１が保持ドラム５の外周をほぼ一周した状態で、被捺染物１１の後端側の余剰部分１１ｂを取り付け部５２の開口部５４から内部の空間５０に差し入れて収容する。
【００２９】
そして、第２の保持手段７を取り付け部５２に嵌め込んで被捺染物１１の画像を形成する領域の下流側を保持ドラム５に保持する。
【００３０】
次いで、図１０に示すように、下前カバー１３を閉じることで、ヒータ１０が保持ドラム５の周面に対向した位置に移動する。
【００３１】
このようにして、被捺染物１１を保持ドラム５の外周にセット（保持）することで、被捺染物１１の画像を形成する領域は保持ドラム５の外周面に皺がなく伸びが抑えられた状態で密着する。なお、図面上は見易くするために保持ドラム５の周面などと被捺染物１１との間に隙間を設けて図示している。
【００３２】
そして、被捺染物１１の余剰部分１１ａ、１１ｂは保持ドラム５の内部空間５０に収容され、保持手段６、７の表面は保持ドラム５の表面とほぼ同一表面を形成し、凹凸が無くスムーズな面となる。
【００３３】
これにより、保持ドラム５を一方向に回転させながら記録ヘッド２によって液滴を吐出して被捺染物１１に安定して品質の高い画像を形成することができる。このとき、被捺染物１１の表面や第１の保持手段６及び第２の保持手段７の外周面は保持ドラム５の周面に倣っているので、他のローラ等の部品に干渉すること無く、安定して画像を形成することができる。
【００３４】
また、下前カバー１３には、被捺染物１１を加熱するヒータ１０が設けられており、ヒータ１０によって加熱しつつ、押さえローラ９で押さえながら、保持ドラム５を回転させることにより、アイロンを掛けるがごとく皺を伸ばし、浮きを防止することができる。
【００３５】
また、上述したように、被捺染物１１の余剰部分は、内部空間５０内に収容することができる。これにより、被捺染部材１１のサイズに合わせて直径の異なる保持ドラムを交換する必要がなく、被捺染物の段取りに時間が掛からず、多品種少量生産を短時間で行うことができる。
【００３６】
また、内部空間５０内に収容する余剰部分１１ａ、１１ｂの量を画像形成位置に合わせて調整することにより、保持ドラムを大きくすることなく被捺染物のどのような位置にでも画像を形成することができ、装置本体のサイズの小型化を図ることができる。
【００３７】
次に、本発明の第２実施形態について図１１及び図１２を参照して説明する。図１１は同実施形態の説明に供する斜視説明図、図１２は同じく保持ドラムの軸方向に沿う要部断面説明図である。
【００３８】
本実施形態では、上記第１実施形態の構成において、保持ドラム５には、内部の空間５０と外部を連通する穴１４を設けている。
【００３９】
これにより、ヒータ１０で加熱しているとき、被捺染物１１が含む水分によって発生した水蒸気を逃すことができるので、被捺染物１１の乾燥を促進でき、更に装置内の結露を防止することができる。
【００４０】
次に、本発明の第３実施形態について図１３及び図１４を参照して説明する。図１３は同実施形態の説明に供する斜視説明図、図１４は同じく保持ドラムの軸方向に沿う要部断面説明図である。
【００４１】
本実施形態では、上記第２実施形態の構成において、保持ドラム５の内部と装置外部を通じる流路を形成するダクト１５を設けている。
【００４２】
これにより、より確実に、被捺染物１１が含む水分によって発生した水蒸気を逃すことで被捺染物１１の乾燥を促進し、更に装置内の結露を防止することができる。
【００４３】
次に、本発明の第４実施形態について図１５及び図１６を参照して説明する。図１５は同実施形態の説明に供する斜視説明図、図１６は同じく保持ドラムの軸方向に沿う要部断面説明図である。
【００４４】
本実施形態では、上記第３実施形態の構成において、ダクト１５内に気流発生手段であるファン１６を設けている。
【００４５】
これにより、ファン１６を正転させて外部から気流を保持ドラム５内に送り込むことで、被捺染物１１の乾燥を更に促進し、確実に結露を防止できる。
【００４６】
また、ファン１６を逆転させて保持ドラム５内部から外部の方向に気流を形成した場合、被捺染物１１が保持ドラム５の外周面に吸引されて密着し、被捺染物１１の浮きや皺をより効果的に抑制することができる。
【００４７】
次に、本発明の第５実施形態について図１７を参照して説明する。図１７は同実施形態の説明に供する保持ドラムの軸方向に沿う要部断面説明図である。
【００４８】
本実施形態では、上記第４実施形態の構成において、ダクト１５内にフィルタ１７を設けている。
【００４９】
これにより、ファン１６を正転させて外部から気流を保持ドラム５内に送り込むとき、外部の塵などが保持ドラム５内に送り込まれることを防止できる。また、ファン１６を逆転させて保持ドラム５内部から外部の方向に気流を形成した場合、装置内部で発生した汚染物質を濾過することができる。
【００５０】
次に、本発明の第６実施形態に係る画像形成装置ついて図１８及び図１９を参照して説明する。図１８は同装置の説明に供する正面説明図、図１９は同じく側面説明図である。
【００５１】
この画像形成装置は、インクジェット捺染装置であり、液滴を吐出する液体吐出ヘッドで構成したライン型記録ヘッド１０２を備えている。
【００５２】
媒体である被捺染物１１１を保持する回転体である中空状の保持ドラム１０５を備えている。この保持ドラム１０５には被捺染物１１が巻き付けられて保持手段１０６、１０７によって保持される。
【００５３】
なお、保持ドラム１０５は、装置本体フレーム１００取り付けた支持板１０９、１０９間に回転可能に保持され、保持ドラム１０５は駆動部１０８によって回転される。また、保持ドラム１０５の外周面に対向して、定着装置１１０が配置されている。
【００５４】
次に、保持ドラムに被捺染物を保持する構成について図２０も参照して説明する。図２０は保持手段による被捺染物の保持構造の説明に供する側面説明図である。
【００５５】
保持ドラム１０５の外周部には、被捺染物１１の画像を形成する領域以外の少なくとも一部を収容して、第１の保持手段１０６、第２の保持手段１０７を嵌め込む収容部を兼ねる凹部１５１、１５２を設けている。
【００５６】
第１の保持手段１０６及び第２の保持手段１０７はロッド状部材であり、凹部１５１、１５２に被捺染物１１を挟んで嵌め込んだ状態で、保持ドラム１０５の外周の回転軌跡と同じか、回転軌跡より回転中心になるように第１の保持手段１０６及び第２の保持手段１０７の径及び凹部１５１、１５２の深さを設定している。
【００５７】
このように構成したので、図２０（ａ）に示すように、保持ドラム１０５の凹部１５１に、被捺染物１１の画像を形成する領域より上流側の余剰部分１１ａの任意の位置を合わせて、第１の保持手段１０６を凹部１５１に嵌め込む。これにより、被捺染物１１の余剰部分１１ａで保持ドラム１０５に固定保持する。
【００５８】
そして、図２０（ｂ）に示すように、被捺染物１１を保持ドラム１０５の外周に巻き付けて、被捺染物１１の画像を形成する領域より下流側の余剰部分１１ｂを、第２の保持手段１０７を凹部１５２に嵌め込んで固定保持する。
【００５９】
このようにして、被捺染物１１を保持ドラム１０５に周面に倣って皺や伸びを抑えた状態で保持することができ、安定して品質の高い画像を形成することができる。
【００６０】
このとき、被捺染物１１の表面や第１の保持手段１０６、第２の保持手段１０７の外周面は保持ドラム１０５の周面から突出していないので、他のローラ等の部品に干渉すること無く、安定して画像を形成することができる。
【００６１】
次に、本発明の第７実施形態について図２１を参照して説明する。図２１は同実施形態の説明に供する側面説明図である。
【００６２】
本実施形態では、保持ドラム１０５に、軸方向に沿って、被捺染物１１の余剰部分１１ａ、１１ｂを内部の空間１５０に差し入れるための開口部１５３が設けられている。
【００６３】
この保持ドラム１０５の開口部１５３の周方向両側部は、保持ドラム１０５を折り返すことで爪状部１５５、１５５が形成されている。
【００６４】
そして、保持ドラム１０５の開口部１５３に、被捺染物１１を保持する第１の保持手段１０８Ａ、第２の保持手段１０８Ｂを配置している。
【００６５】
第１、第２の保持手段１０８Ａ、１０８Ｂは、爪状部１５５に着脱可能に係合する係合部１０８ａと、保持ドラム１０５の軸方向に沿って配置された軸部１０８ｂとを有し、軸部１０８ｂで矢印方向に揺動可能に保持されている。このとき、軸部１０８ｂと開口部１５３の端部との間には被捺染物１１を通すことが可能な隙間が設けられている。
【００６６】
このように構成したので、被捺染物１１の画像を形成する領域の上流側の余剰部分１１ａを第１の保持手段１０８Ａと開口部１５３の端部との間を通して内部の空間１５０内に差し入れ、第１の保持手段１０８Ａの爪部１０８ａを爪状部１５５に係合させる。これにより、被捺染物１１の画像を形成する領域の上流側の任意の位置を保持ドラム１０５に保持する。
【００６７】
そして、被捺染物１１を保持ドラム１０５の周面に巻き付けて、被捺染物１１の画像を形成する領域の下流側の余剰部分１１ｂを第２の保持手段１０８Ｂと開口部１５３の端部との間を通して内部の空間１５０内に差し入れ、第２の保持手段１０８Ｂの爪部１０８ａを爪状部１５５に係合させる。
【００６８】
このようにして、被捺染物１１を保持ドラム１０５の周面に皺や伸びが抑えられた状態で保持することができ、安定して画像を形成することができる。
【００６９】
次に、本発明の第８実施形態について図２２を参照して説明する。図２２は同実施形態の説明に供する側面説明図である。
【００７０】
本実施形態は、前記第１実施形態における保持ドラム５には第１の保持手段６のみを備え、被捺染物１１の画像を形成する領域の上流側の余剰部分１１ａの任意の位置を第１の保持手段６で保持する。
【００７１】
そして、被捺染物１１の第１の保持手段６で保持された位置より下流側の部分は、保持ドラム５を回転させることで、保持ドラム５の周面に倣って巻き付いていく。
【００７２】
このように構成することで、被捺染物１１の長さが保持ドラム５の周長より短い場合や被捺染物１１の搬送方向下流端近傍であっても、皺の発生や伸びを抑制した状態で画像を形成することができる。
【００７３】
次に、本発明の第９実施形態について図２３ないし図２５も参照して説明する。図２３は同実施形態の説明に供する被捺染物に中間部材を内包する状態の斜視説明図、図２４は同じく中間部材を含む被捺染物を保持するときの分解斜視説明図、図２５は同じく側面説明図である。
【００７４】
本実施形態は、前記第１実施形態に係る画像形成装置を使用した本発明に係る画像形成方法によって画像を形成する実施形態である。
【００７５】
本実施形態では、一部又は全部が重なり合う重なり部分を有する媒体としての被捺染物１１１に画像を形成する。被捺染物１１１は、例えば２枚の布帛１１１ａ、１１１ｂを縫製したシャツなどのように、前身頃（布帛１１１ａ）と後ろ見頃（布帛１１１ｂ）が重なっている媒体である。
【００７６】
そこで、図２３に示すように、被捺染物１１１の布帛１１１ａ、１１１ｂの間に、屈曲変形可能な面状の中間部材２００を差し入れて、図２４に示すように、被捺染物１１１内に中間部材２００を内包させる。
【００７７】
中間部材２００は、重なり部分の一方に付着した液体が他方に移動することを阻止する部材であり、液体を吸収しない材料、一面から液体を吸収して内部に保持する材料などで構成できる。例えば、液体を吸収しない部材としてはポリエステルフィルム、液体を吸収して内部に保持する部材としては多孔質状のフィルムを挙げることができる。また、中間部材２００が発熱部材を兼ねて、画像形成毎に被捺染物を加熱するようにもできる。
【００７８】
これにより、図２５にも示すように、被捺染物１１１の布帛１１１ａと１１１ｂとの重なり部分の間に中間部材２００を介在させる。このとき、中間部材２００は画像を形成する領域の背面側（内面側）に配置されるように内包させる。
【００７９】
そして、図２５に示すように、中間部材２００を内包した被捺染物１１１を、第１の保持手段６と第２の保持手段７とを使用して保持ドラム５の外周（周面）に保持させる。このとき、中間部材２００は屈曲変形可能であるので、保持ドラム５の外周面に沿って被捺染物１１１を保持することができる。
【００８０】
このとき、本実施形態では保持ドラム５を使用しているので、中間部材２００も保持ドラム５に固定保持することで、保持ドラム５が回転しても中間部材２００の位置がずれないようにしている。
【００８１】
その後、前述したように保持ドラム５を回転して被捺染物１１１と中間部材２００とを重ね合わせた状態で移動しながら、記録ヘッド２によって、被捺染物１１１の例えば布帛１１１ａ側に画像を形成する。
【００８２】
このとき、被捺染物１１１の画像が形成された側の布帛１１１ａと画像が形成されない側の布帛１１１ｂとの間には、中間部材２００が介在しているので、布帛１１１ａに付着した液体が布帛１１１ｂに浸透して裏写りすることが防止される。
【００８３】
次に、本発明の第１０実施形態について図２６及び図２７を参照して説明する。図２６は同実施形態の説明に供する要部斜視説明図、図２７は同じく断面説明図である。
【００８４】
中間部材２００には、保持ドラム５に連結する連結部２０１を設けて、連結部２０１にはピン形状の嵌め合い部２０２を設けている。
【００８５】
一方、保持ドラム５には、軸方向に沿って被連結部である円筒体１６を回転可能に保持し、円筒体１６には中間部材２００の嵌め合い部２０２を嵌め込む連結穴１７を設けている。
【００８６】
なお、装置本体側では、取り付け部５１側のドラム断面形状を前記第１の保持手段６を構成するベース部材６ａの形状として、蓋部材６ｂを嵌め込めるようにしている。
【００８７】
このように構成したので、被捺染物１１１を保持ドラム５に保持するとき、図２６に示すように、被捺染物１１１内に中間部材２００を内包した状態で、中間部材２００の連結部２０１の嵌め合い部２０２を、保持ドラム５側の円筒体１６の連結穴１７内に嵌め込む。
【００８８】
そして、円筒体１６を回転させて図２７に示すように中間部材２００の連結部２０１を円筒体１６の外周面に巻き付けた状態にした後、蓋部材６ｂを嵌め込んで被捺染物１１１を含めて保持ドラム５に周面に保持する。
【００８９】
これにより、中間部材２００のドラム軸方向位置を容易に決めることができる。
【００９０】
また、円筒体１６を回転することで、被捺染物１１１の余剰部分１１１ｃを円筒体１６に巻きつけ、任意の量だけ内部空間５０に収容することができる。
【００９１】
このようにして、蓋部材６ｂを取付ける前の被捺染物１１１の保持ドラム５への取り付け作業や位置合わせを容易に行うことができる。
【００９２】
また、被捺染物１１１は中間部材２００を介して保持ドラム５に取り付けられているため、被捺染物１１１の非印字領域が狭く、蓋部材６ｂの嵌め合い領域が少なくなっても、良好に保持ドラム５に保持することができる。
【００９３】
なお、本実施形態において、円筒体１６の回転を許容及び規制する手段を備えることで、上述したような中間部材２００から外れない被捺染物を使用するのであれば、蓋部材６ｂを使用して挟み持たないでも、保持ドラム５に保持することができる。
【００９４】
このようにすれば、保持できる被捺染物の形態上の制約は生じるが、被捺染物の厚みによらずに保持することが可能となる。
【００９５】
すなわち、本実施形態において、画像形成装置は、媒体が一部又は全部が重なる重なり部分を有し、媒体を回転体である保持ドラムの保持するときに、媒体内の重なり部分に介在された状態で保持ドラムの周面に保持される、液体を浸透しない中間部材２００を備えている。
【００９６】
また、本実施形態において、画像形成装置は、媒体に画像を形成する画像形成手段と、媒体を保持して回転する回転体としての保持ドラム５とを備えている。そして、一部又は全部が重なる重なり部分を有する媒体に画像を形成するときに媒体の重なり部分に介在される中間部材２００を保持ドラム５に連結可能である。保持ドラム５には中間部材２００に設けられる連結部２０１が連結される被連結部としての円筒体１６を有している。一方、中間部材２００は、当該画像形成装置に対して連結及び分離可能な中間部材であって、被連結部としての円筒体１６に連結される連結部２０１を有している。
【００９７】
次に、本発明の第１１実施形態について図２８も参照して説明する。図２８は同実施形態の説明に供する要部側面説明図である。
【００９８】
本実施形態では、第１の保持手段側は、取り付け部５１側のドラム断面形状を前記第１の保持手段６を構成するベース部材６ａの形状として、蓋部材６ｂを嵌め込めるようにしている。
【００９９】
一方、第２の保持手段７側では、ローラ７１と、保持ドラム５におけるローラ７１と対向する位置にローラ７２をそれぞれ矢印の方向のみに回転可能に設けている。
【０１００】
これにより、被捺染物１１を保持ドラム５にセットするとき、ローラ７１、７２で挟み持つことで保持ドラム５表面に保持することができる。
【０１０１】
また、それぞれのローラ７１、７２は、被捺染物１１の非印字領域を保持ドラム５内部に送り込む方向に回転可能とすることで、非印字領域を容易に保持ドラム５内部に送り込むとともに、保持ドラム５表面に生じたしわを伸ばすことができる。
【０１０２】
なお、上記実施形態においては、媒体が被捺染物である例で説明しているが、これに限らず、保持ドラムに巻き回すことが可能な媒体であれば、シート用紙などでも適用することができ、媒体が限定されるものではない。
【符号の説明】
【０１０３】
２  記録ヘッド
５  保持ドラム（回転体）
６  第１の保持手段
７  第２の保持手段
１１  被捺染物（媒体）
５０  空間
５１、５２  取り付け部
１０２  記録ヘッド
１０５  保持ドラム（回転体）
１０６  第１の保持手段
１０７  第２の保持手段
１０８Ａ  第１の保持手段
１０８Ｂ  第２の保持手段
１５０  空間
１５１、１５２  凹部
１５３  開口部
１５５  爪状部
２００  中間部材
【図１】
0006575063.tif 000002
【図２】
0006575063.tif 000003
【図３】
0006575063.tif 000004
【図４】
0006575063.tif 000005
【図５】
0006575063.tif 000006
【図６】
0006575063.tif 000007
【図７】
0006575063.tif 000008
【図８】
0006575063.tif 000009
【図９】
0006575063.tif 000010
【図１０】
0006575063.tif 000011
【図１１】
0006575063.tif 000012
【図１２】
0006575063.tif 000013
【図１３】
0006575063.tif 000014
【図１４】
0006575063.tif 000015
【図１５】
0006575063.tif 000016
【図１６】
0006575063.tif 000017
【図１７】
0006575063.tif 000018
【図１８】
0006575063.tif 000019
【図１９】
0006575063.tif 000020
【図２０】
0006575063.tif 000021
【図２１】
0006575063.tif 000022
【図２２】
0006575063.tif 000023
【図２３】
0006575063.tif 000024
【図２４】
0006575063.tif 000025
【図２５】
0006575063.tif 000026
【図２６】
0006575063.tif 000027
【図２７】
0006575063.tif 000028
【図２８】
0006575063.tif 000029